(57)【特許請求の範囲】
【請求項１】
記録用紙を搬送方向に搬送する紙送り機構と、
可動刃及び前記可動刃の下方に配設される固定刃を有し、前記記録用紙を所望の長さに切断して単票とするカッターと、
前記固定刃の刃部よりも下方に配設され、前記単票を滞留させる紙ガイド面と、
前記紙ガイド面に配設され、前記固定刃の刃部の位置よりも高い、前記搬送方向に回転自在なリング状の突起部と、
を備えることを特徴とする紙排出装置。
【請求項２】
前記紙ガイド面の前記搬送方向の下流に、前記単票を収容するスタッカーを備え、
前記単票は、前記紙送り機構が前記記録用紙を紙送りすることによって、前記紙ガイド面から押し出され、前記スタッカーに収容される請求項１に記載の紙排出装置。
【請求項３】
用紙搬送経路に沿って、記録用紙を搬送し、
前記記録用紙を、所望の長さに可動刃及び前記可動刃の下方に配設される固定刃を有するカッターで切断して前記単票とし、
紙ガイド面と前記紙ガイド面に設けられた前記固定刃の刃部の位置よりも高く前記搬送方向に回転自在なリング状の突起部とによって、前記単票を前記記録用紙の通過領域の一部を塞ぐように保持し、
搬送される前記記録用紙で、保持された前記単票を押し出すことによって、前記単票を外部に排出することを特徴とする紙排出方法。
【請求項４】
前記単票を押し出した前記記録用紙を、切断位置の上流側まで戻す請求項３に記載の紙排出方法。
【請求項５】
記録用紙を搬送方向に搬送する紙送り機構と、
前記記録用紙に情報を印刷する印刷ヘッドと、
可動刃及び前記可動刃の下方に配設される固定刃を有し、前記記録用紙を所望の長さに切断して単票とするカッターと、
前記固定刃の刃部よりも下方に配設され、前記単票を滞留させる紙ガイド面と、
前記紙ガイド面に配設され、前記固定刃の刃部の位置よりも高い、前記搬送方向に回転自在なリング状の突起部と、
を備えることを特徴とするプリンター。
【発明の詳細な説明】
【技術分野】
【０００１】
本発明は、情報が記録され単票状に切断された記録用紙の紙排出装置、紙排出方法、および当該紙排出装置を備えたプリンターに関する。
【背景技術】
【０００２】
近年、物流や商流等様々な分野でオートカッター付きのプリンターが使用されている。この種のプリンターは、長尺状の記録用紙に情報を印刷し、記録用紙を所定の長さに切断して単票として発行する。オートカッターは、印刷位置を経由して紙出口に至る紙搬送路の下流部分に配置される。そして、切断された記録用紙（単票）は紙出口から排出される。オートカッターには、固定刃に対して可動刃が接近および離反する方向に旋回する鋏式のものや、固定刃に対して可動刃が接近および離反する方向に直線往復移動する形式のものなどがある。
【０００３】
この種のプリンターとしては、オートカッターが紙出口近傍に設けられ、切断された単票は一時紙出口部分に滞留し、オペレーターが手動で取り顧客に渡す形式のものが知られている（例えば、特許文献１参照）。または、切断された単票を搬出する搬送部を有し、搬送部によって単票をプリンターの外部に排出するものが知られている（例えば、特許文献２参照）。
【先行技術文献】
【特許文献】
【０００４】
【特許文献１】特開２００４−２６８２０７号公報
【特許文献２】特開２００１−１１３４９５号公報
【発明の概要】
【発明が解決しようとする課題】
【０００５】
しかしながら、特許文献１に記載のプリンターでは、例えばオペレーターが単票を取り忘れてしまった場合、各単票が紙出口に留まり堆積してしまうことがあった。単票が堆積すると、堆積した単票と可動刃の刃先とが干渉してカット不良が発生したり、堆積した単票を再度切断してしまい小さな切断片が発生し、プリンターの動作に悪影響を与える虞があった。
【０００６】
また、特許文献２に記載の連続帳票切断装置を有するプリンターは、切断された単票の搬送部を有するため、機構が複雑になるとともにサイズが大きくなってしまうという課題があった。
【課題を解決するための手段】
【０００７】
本発明は、上述の課題の少なくとも一部を解決するためになされたものであり、以下の形態または適用例として実現することが可能である。
【０００８】
（適用例１）記録用紙を搬送方向に搬送する紙送り機構と、可動刃及び前記可動刃の下方に配設される固定刃を有し、前記所望の長さに切断して単票とするカッターと、前記固定刃の刃部よりも下方に配設され、前記単票を滞留させる紙ガイド面と、前記紙ガイド面に配設され、前記固定刃の刃部の位置よりも高い突起部と、を備えることを特徴とする紙排出装置。
【０００９】
この構成によれば、紙ガイド面において、単票は、紙ガイド面と突起部とによって紙送り機構で搬送される記録用紙の通過領域の一部を塞ぐように斜めに保持される。そのため、紙送り機構で記録用紙を紙送りすると、記録用紙の先端部分は、単票の上流側の切断面を押すことができる。その結果、単票は、オートカッター近傍および紙ガイド面から外部に押し出され排出されることができる。従って、特別な機構を設けなくても単票を排出することができ、オートカッターのカット不良や切断片の発生を低減することができる。
【００１０】
（適用例２）前記突起部は、用紙搬送方向を進行方向とする船底形状に形成されていることを特徴とする上記の紙排出装置。
【００１１】
この構成によれば、記録用紙の搬送負荷を低減することができ、安定した用紙搬送を実現できる。
【００１２】
（適用例３）前記突起部は、前記搬送方向に回転自在なリング状である上記の紙排出装置。
【００１３】
この構成によれば、記録用紙の搬送負荷を低減することができ、安定した用紙搬送を実現できる。
【００１４】
（適用例４）前記突起部は、半球状の突起であることを特徴とする上記の紙排出装置。
【００１５】
この構成によれば、記録用紙の搬送負荷を低減することができ、安定した用紙搬送を実現できる。
【００１６】
（適用例５）前記紙ガイド面の前記搬送方向の下流に、前記単票を複数枚収容するスタッカーを備え、前記単票は、前記紙送り機構が前記記録用紙を紙送りすることによって、前記紙ガイド面から押し出され、前記スタッカーに収容される上記の紙排出装置。
【００１７】
この構成によれば、単票は、紙送り機構の記録用紙の紙送り量を調整することによって、スタッカーまで到達することができ、スタッカーに確実に収容されることができる。
【００１８】
（適用例６）用紙搬送経路に沿って、記録用紙を搬送し、前記記録用紙を、所望の長さに切断して前記単票とし、紙ガイド面と前記紙ガイド面に設けられた突起部とによって、前記単票を前記記録用紙の通過領域の一部を塞ぐように保持し、搬送される前記記録用紙で、保持された前記単票を押し出すことによって、前記単票を外部に排出することを特徴とする紙排出方法。
また、前記単票を押し出した前記記録用紙を、切断位置の上流側まで戻す上記の紙排出方法。
【００１９】
この方法によれば、用紙切断工程で生成された単票は、用紙保持工程において、紙ガイド面と突起部とによって紙送り工程で搬送される記録用紙の通過領域の一部を塞ぐように斜めに保持される。そのため、紙排出工程において、紙送りされる記録用紙の先端部分が、単票の上流側の切断面を確実に押すことができ、単票を外部に排出することができる。また、単票排出後、記録用紙は元の位置に戻される。そのため、特別な機構を設けることがなくても単票を排出することができ、オートカッターのカット不良や切断片の発生を低減することができる。
【００２０】
（適用例７）記録用紙を搬送方向に搬送する紙送り機構と、
前記記録用紙に情報を印刷する印刷ヘッドと、可動刃及び前記可動刃の下方に配設される固定刃を有し、前記記録用紙を所望の長さに切断して単票とするカッターと、前記固定刃の刃部よりも下方に配設され、前記単票を滞留させる紙ガイド面と、前記紙ガイド面に配設され、前記固定刃の刃部の位置よりも高い突起部と、を備えることを特徴とするプリンター。
【００２１】
この構成によれば、情報が印刷された単票を確実に排出することができる信頼性の高いプリンターを提供することができる。
【図面の簡単な説明】
【００２２】
【図１】プリンターシステムを示す概略構成図。
【図２】プリンター機構部の主要構成を示す断面図。
【図３】紙排出装置を説明する図。
【図４】紙排出動作の流れを示すフローチャート。
【図５】紙排出動作を説明する図。
【図６】第２実施形態における紙排出装置を説明する図。
【発明を実施するための形態】
【００２３】
以下、本実施形態を、図面を参照して説明する。なお、以下の説明で参照する図面では、説明および図示の便宜上、部材ないし部分の縦横の縮尺を実際のものとは異なるように表す場合がある。
【００２４】
（プリンターシステムの概略構成について）
本実施形態に係るプリンターを適用したプリンターシステムについて図１を参照して説明する。図１は、本実施の形態に係るプリンターシステムを示す概略構成図である。図１に示すＸ方向は、プリンターシステムにおいて使用される記録用紙の搬送方向を示し、Ｙ方向は、記録用紙の紙幅方向を示す。Ｚ方向は、Ｘ方向とＹ方向とが直交する方向を示す。
【００２５】
図１に示すように、プリンターシステム１０は、給紙装置１２とプリンター２０とを備えている。給紙装置１２は、プリンター２０に着脱可能に接続されるベース板１３を有している。ベース板１３には、ベース板１３側の三方が長方形状に囲まれるとともに、長方形状の長辺部分が上方に延長された用紙保持部１４が取り付けられている。用紙保持部１４の長辺部分の上端側の部位にはロール紙支軸１５が水平に取り付けられている。
【００２６】
給紙装置１２は、記録用紙１１として、長尺の記録用紙をロール状に巻き取ったロール紙１１ａおよび長尺の記録用紙を所定の長さに互い違いに折り畳んだ図示しないファンフォールド紙のいずれかが選択的に収容され給紙可能となっている。
【００２７】
ロール紙１１ａを使用する場合は、ロール紙支軸１５の先端側からロール紙１１ａが装着される。ロール紙支軸１５の根元側にはロール紙１１ａの幅調整用の円盤状のスペーサー１７が着脱可能に取り付けられており、幅の異なるロール紙１１ａを、図１において手前側の側端を基準として装着可能となっている。
ファンフォールド紙を使用する場合は、ベース板１３と用紙保持部１４とによって形成された長方形状のスペース１８にファンフォールド紙が収容される。
【００２８】
記録用紙１１は、例えば空港などにおいて使用されるバゲッジタグやボーディングパス等が適用される。ロール紙１１ａの場合は、例えば一定幅の連続台紙に、その長さ方向に一定長さのラベルが貼り付けられた構成のラベル用紙が適用される。ファンフォールド紙の場合は、１枚毎のバゲッジタグやボーディングパス（用紙）等が互い違いに折り畳まれている。これらのバゲッジタグやボーディングパス（単票）等は、１枚ずつ発行される場合や、複数の乗り継ぎもしくは団体扱いのため複数枚が連続状態で発行される場合がある。また、これらのラベルや用紙の先頭部分には所定の情報が担持されたＲＦＩＤタグが埋め込まれたものもある。そのため、記録用紙１１は厚紙状のものもある。
【００２９】
（プリンターの主要構成について）
次いで、本実施形態に係るプリンターについて図１および図２を参照して説明する。図２は、プリンター機構部の主要構成を示す断面図である。図２に示すＸ方向およびＺ方向は、図１に示すＸ方向およびＺ方向と同一な方向を示す。なお、以下の説明では、プリンターとして、感熱記録用紙（記録用紙１１）に情報を印刷するサーマルプリンターを適用する場合を例にとって説明する。
【００３０】
図１に示すプリンター２０は、外装ケース２２と、プリンター機構部３０（図２参照）と、図示しない制御部とを備えている。外装ケース２２は、全体としてＸ方向に長い直方体形状を呈している。外装ケース２２は、本体ケース２３と前部ケース２４とカバー２５と後部ケース２６とを有している。本体ケース２３は、外装ケース２２のベースとなる部品であって、外装ケース２２の他ケース部品および前述の給紙装置１２が取り付けられる。
【００３１】
前部ケース２４は、プリンター２０において給紙装置１２と対向する方向で本体ケース２３に取り付けられる。前部ケース２４は、Ｘ方向から見た前面２４ａにＹ方向を長手方向とする矩形形状の紙出口２８が形成されている。この前部ケース２４の内部には後述するプリンター機構部３０が収容されている。
【００３２】
カバー２５は、ロール紙１１ａの用紙搬送経路３３を覆う形態であり、プリンター２０の前側の端部２５ａを中心として矢印Ａ方向に開閉可能となっている。カバー２５の内部は、記録用紙１１をガイドする機能を有するとともに、例えば、上述のＲＦＩＤタグに担持された情報の図示しない読み取り装置等が備えられる。後部ケース２６は、プリンター２０において給紙装置１２側に設けられ、前部ケース２４の紙出口２８とほぼ対向する位置にＹ方向を長手方向とする矩形形状の紙入口２９が形成されている。
【００３３】
図２に示すように、プリンター機構部３０は、外装ケース２２の前部ケース２４の内部に収容され、紙送り機構３２と、印刷ヘッド３５と、オートカッター４０を含む紙排出装置５０とを備えている。紙送り機構３２は、長尺の記録用紙１１をプリンター２０内の用紙搬送経路３３に沿って搬送するものである。紙送り機構３２は、用紙搬送経路３３上の所定位置に配置されたプラテンローラー３４と、このプラテンローラー３４に対向配置されたサーマルヘッド３５（印刷ヘッド）とを備えている。本実施形態では、プリンターとして、サーマルプリンターを例にとっているため、紙送り機構３２は、記録用紙１１に情報を印刷する機能をも有する。
【００３４】
紙送り機構３２のＸ（＋）方向に紙入り口３６が設けられる。記録用紙１１は、この紙入り口３６を通って装置内部に供給され、サーマルヘッド３５とプラテンローラー３４との間で押圧状態に装填される。紙入り口３６からサーマルヘッド３５およびプラテンローラー３４に至る上流側の用紙搬送経路３３には、記録用紙１１を案内するための紙案内部材３７が設けられている。
【００３５】
プラテンローラー３４には、搬送モーター３８の回転駆動力が図示しない歯車等の伝達機構を介して伝達される。プラテンローラー３４が正方向（図２の矢印Ｂ方向）に回転すると、この回転に伴って記録用紙１１が用紙搬送経路３３に沿って正方向（Ｘ（＋）方向からＸ（−）方向）に搬送される。また、逆方向（矢印Ｂの反対方向）にプラテンローラー３４が回転すると、記録用紙１１が逆送される。なお、紙出口２８に向かって記録用紙１１を搬送する搬送方向（印刷時の記録用紙１１の搬送方向：図１および図２の矢印Ｃ方向）を基準搬送方向とする。
【００３６】
サーマルヘッド３５は、プラテンローラー３４の側を向いているヘッド面に、記録用紙１１を加熱して印刷を行うための発熱部３９を備えている。この発熱部３９はＹ方向に沿って列状に形成されている。サーマルヘッド３５は、印刷を行うときには、発熱部３９の部分をプラテンローラー３４に正対させ、発熱部３９とプラテンローラー３４とで記録用紙１１を搬送させながら、発熱部３９を構成する複数の発熱体の内の任意の発熱体を選択的に発熱させる。記録用紙１１は、表面に感熱発色層が塗布されているため、発熱した発熱体に対応する部位が発色しドットを形成する。この制御は、図示しない制御部によって行われ、印刷データに基づいて記録用紙１１の面に情報が印刷される。
【００３７】
情報が印刷された記録用紙１１は、後述するオートカッター４０を含む紙排出装置５０を経由して、プリンター機構部３０のＸ（−）方向に設けられた紙出口２８から装置外部に排出される。
【００３８】
（紙排出装置について）
（第１実施形態）
ここで、紙排出装置について、図２および図３を参照して説明する。図３は、紙排出装置を説明する図であり、詳しくは、記録用紙排出方向から見た斜視図である。図３に示すＸ方向、Ｙ方向およびＺ方向は、図１に示すＸ方向、Ｙ方向およびＺ方向と同一な方向を示す。
【００３９】
図２に示すように、紙排出装置５０は、紙送り機構３２と外装ケース２２の前部ケース２４との間に配置される。詳しくは、図２中Ｘ方向に沿って、紙送り機構３２、紙排出装置５０、前部ケース２４（外装ケース２２）の順に用紙搬送経路３３を共通として配置される。紙排出装置５０は、オートカッター４０と紙ステージ５２とを備える。
【００４０】
オートカッター４０は、上述の紙送り機構３２（サーマルヘッド３５）で所望の情報が印刷された長尺の記録用紙１１を任意の長さに切断して単票とする機能を有する。本実施形態では、オートカッター４０として、一方の刃に対して他方の刃が接近および離反する方向に旋回する鋏式オートカッターを例にとり説明する。なお、オートカッター４０には、一方の刃に対して他方の刃が接近および離反する方向に直線往復移動する形式のものなど複数種ある。
【００４１】
図２および図３に示すように、オートカッター４０は、固定刃４３と、可動刃４５と、カッター駆動モーター４７と、図示しない可動刃駆動伝達機構とを備える。固定刃４３は、略長方形の板状を呈しており、１つの長辺部分に直線状の刃部４３ａが形成されている。固定刃４３は、上述の用紙搬送経路３３のＺ方向下部で刃部４３ａをＹ方向に延在するように固定される。可動刃４５は、１辺に略直線状の刃部４５ａが形成された板状に形成され、一方の端部近くに旋回中心４５ｂを有している。旋回中心４５ｂは、Ｙ方向において記録用紙１１の走行範囲外に設けられている。
【００４２】
オートカッター４０はカッター駆動モーター４７を備え、カッター駆動モーター４７の駆動力は図示しない可動刃駆動伝達機構を介して可動刃４５に伝達される。そのため、可動刃４５は、旋回中心４５ｂを中心に旋回可能となり、カッター駆動モーター４７の動作により、固定刃４３に対して接近および離反する方向に旋回することができる。その結果、固定刃４３と可動刃４５との間に配置される記録用紙１１は切断される。なお、オートカッター４０の動作を、紙送り機構３２の紙送り動作と同期させることにより任意の長さの単票を作成することができる。
【００４３】
図２および図３に示すように、紙ステージ５２は、プラスチック等の材料が好適に用いられ、用紙搬送経路３３の一部を構成すべく、紙送り機構３２と外装ケース２２の前部ケース２４との間を架け渡すように配置される。紙ステージ５２は、用紙搬送経路３３に沿って紙幅方向（Ｙ方向）を長辺とし紙搬送方向（Ｘ方向）を短辺とする長方形状の紙ガイド面５４を有している。紙ガイド面５４の面は、固定刃４３の刃部４３ａの位置より、Ｚ方向にわずかに低くなるように配設されている。紙ガイド面５４は、用紙搬送経路３３を搬送される記録用紙１１の下面をガイドする機能と、オートカッター４０によって所望の長さに切断された単票１１ｃ（図５参照）を前部ケース２４の紙出口２８に一時滞留させる機能とを有する。
【００４４】
紙ガイド面５４は、Ｙ方向の中心部以外の領域に突起部５５が形成されている。本実施形態では、突起部５５は、記録用紙１１の紙幅方向中心部以外の領域、例えば紙ガイド面５４のＹ方向のいずれか一方の端部に近い位置に形成されている。以下、突起部５５がＹ（＋）方向の端部に近い位置に形成されている場合について説明する。この位置は記録用紙１１が紙ガイド面５４上を通過するとき、記録用紙１１のＹ（＋）方向の端部が通過する位置に近い位置である。
【００４５】
突起部５５は、例えばＸ方向に延びた船底形状、すなわちＸ方向およびＹ方向ともに摺動抵抗が軽減される形状に形成されている。また、本実施形態では、突起部５５のＺ方向の高さは、固定刃４３の刃部４３ａの位置より高く設定されているが、これに限定されない。
【００４６】
（紙排出動作について）
ここで、上述の紙排出装置５０を適用したプリンター２０の紙排出動作について、図４および図５を参照して説明する。図４は、紙排出動作の流れを示すフローチャートであり、図５は、紙排出動作を説明する図である。図５に示すＹ方向およびＺ方向は、図１に示すＹ方向およびＺ方向と同一な方向を示す。
【００４７】
図４に示すように、ステップＳ１の紙送り工程では、図２に示すプリンター機構部３０によって、記録用紙１１に情報が印刷されつつ用紙搬送経路３３に沿ってこの正方向（矢印Ｃ方向）に搬送される。搬送された記録用紙１１は、用紙搬送経路３３の下流に位置するオートカッター４０にいたる。
次いで、ステップＳ２の用紙切断工程では、情報が印刷された記録用紙１１は、オートカッター４０によって所望の長さに切断され、単票１１ｃとなる。詳しくは、オートカッター４０の固定刃４３と可動刃４５の間に位置する記録用紙１１は、固定刃４３に対して可動刃４５が旋回動作することによって切断される。切断される記録用紙１１の長さは、例えば搬送モーター３８の駆動ステップ数によって決定される。
【００４８】
ステップＳ３の単票保持工程では、切断された単票１１ｃが、図２および図３に示す紙ステージ５２の紙ガイド面５４および外装ケース２２の前部ケース２４の紙出口２８に保持される。このとき、図５に示すように、紙ガイド面５４の面は固定刃４３の刃部４３ａの位置よりＺ方向に低くなるように配設され、紙ガイド面５４に形成された突起部５５は、単票１１ｃのＹ方向の一方の端部に近い位置に設けられている。そのため、単票１１ｃは、図５の実線で表示されるように、上流側の切断面が斜めに保持される。詳しくは、単票１１ｃは、単票１１ｃの上流側の切断面が、オートカッター４０部分での２点鎖線で示す記録用紙１１の紙搬送部分の一部を塞ぐように保持される。
【００４９】
ステップＳ４の単票排出工程では、紙送り機構３２のプラテンローラー３４とサーマルヘッド３５との間に挟持された記録用紙１１を一定量、正方向（矢印Ｃ方向）に紙送りする。上述のように、単票１１ｃは、単票１１ｃの上流側の切断面が、オートカッター４０部分での記録用紙１１の紙搬送部分の一部を塞ぐように保持される。そのため、正方向に紙送りされる記録用紙１１は、記録用紙１１の先端部分で単票１１ｃの上流側の切断面を押しながら正方向に進む。その結果、紙ステージ５２の紙ガイド面５４および外装ケース２２の前部ケース２４の紙出口２８に保持されていた単票１１ｃは、外装ケース２２の紙出口２８から外部に排出される。
【００５０】
このときの紙送り量は、単票１１ｃの大きさや連続発行枚数、紙ステージ５２と外装ケース２２の紙出口２８との位置関係等によって調整可能である。また、外装ケース２２の紙出口２８の外部に、排出される単票１１ｃを一定枚数保持するスタッカー等の単票保持部を用意することもできる。この場合は、発行される単票１１ｃがスタッカーに確実に収容される距離だけ紙送りすればよい。また、このとき、紙出口２８やスタッカーにフォトセンサーを適用した紙有無検出装置を設け、確実に排出されたか、確実にスタッカーに収容されたかを確認するとさらに好ましい。なお、スタッカーの形状、位置については特に限定しない汎用品でもよい。
【００５１】
ステップＳ５の紙逆送り工程では、プラテンローラー３４を逆方向に回転させ、ステップＳ４で一定量紙送りされた記録用紙１１を逆方向に紙送りする。そして、記録用紙１１を、記録用紙１１の先端がオートカッター４０の上流部分に到った時点で待機させる。
【００５２】
そして、ステップＳ６において、次に発行する単票１１ｃがあるか否かを判定する。次に発行する単票１１ｃがある（ＹＥＳ）の場合は、ステップＳ１の紙送り工程に戻り上記の動作を繰り返す。次に発行する単票１１ｃがない（ＮＯ）の場合は、紙排出動作を終了する。
【００５３】
以下、本第１実施形態の効果を記載する。
（１）上述の紙排出装置５０は、紙ガイド面５４において、オートカッター４０によって生成された単票１１ｃを、紙ガイド面５４と突起部５５とによって紙送り機構３２で搬送される記録用紙１１の通過領域の一部を塞ぐように斜めに保持することができる。そのため、紙送り機構３２で記録用紙１１を紙送りすると、記録用紙１１の先端部分は、単票１１ｃの上流側の切断面を押すことができる。その結果、単票１１ｃは、プリンター２０のオートカッター４０近傍および紙ガイド面５４から外部に押し出され排出される。従って、特別な機構を設けなくても単票１１ｃを確実に排出することができる。
【００５４】
（２）上述の紙排出装置５０は、オペレーターが単票１１ｃを取り忘れても単票１１ｃを外部に排出することができる。そのため、単票１１ｃが、オートカッター４０近傍および紙ガイド面５４近傍に堆積することを防止することができる。その結果、堆積した単票１１ｃとオートカッター４０の可動刃４５との干渉を防ぐことができ、カット不良等の発生や、単票１１ｃを再度切断することによる切断片の発生を低減することができる。従って、信頼性の高い紙排出を実現することができる。
【００５５】
（３）上述の紙排出装置５０は、紙送り機構３２の記録用紙１１の紙送り量、すなわち単票１１ｃの送り出し量を調整することができる。そのため、大きさの異なる複数種の単票１１ｃ、単票１１ｃの連続発行枚数等に容易に対応することができる、その結果、汎用性の高い紙排出を実現することができる。
【００５６】
（４）上述の紙排出装置５０において、単票１１ｃは、連続発行枚数の如何を問わず、紙送り機構３２の記録用紙１１の紙送り量を調整することによって、スタッカーまで到達することができ、スタッカーに確実に収容することができる。
【００５７】
（５）上述の紙排出装置５０において、突起部５５は、例えば紙搬送方向に延びた船底形状等の摺動抵抗が軽減される形状に形成されている。そのため、記録用紙１１の搬送負荷や搬送負荷の片寄りを低減することができ、安定した記録用紙１１の搬送を実現できる。
【００５８】
（第２実施形態）
ここで、第２実施例の紙排出装置について図６を参照して説明する。図６は第２実施形態における紙排出装置を説明する図である。第２実施形態は、第１実施形態に対して、突起部が異なる例である。第１実施例と同様な構成および内容については、符号を等しくして説明を省略する。
【００５９】
図６に示すように、第２実施例の紙排出装置５０は、オートカッター４０と紙ステージ５２Ａとを備える。紙ステージ５２Ａは、第１実施形態と同様に、用紙搬送経路３３に沿って紙幅方向（Ｙ方向）を長辺とし紙搬送方向（Ｘ方向）を短辺とする長方形状の紙ガイド面５４を有している。紙ガイド面５４の面は、固定刃４３の刃部４３ａの位置より、Ｚ方向にわずかに低くなるように配設されている。紙ガイド面５４は、用紙搬送経路３３を搬送される記録用紙１１の下面をガイドする機能と、オートカッター４０によって所望の長さに切断された単票１１ｃを前部ケース２４の紙出口に一時滞留させる機能とを有する。
【００６０】
紙ガイド面５４には、突起部５５のひとつの形態として、Ｙ方向の中心部以外の領域に紙搬送方向に回転自在のリング６０が配設されている。リング６０は、例えば紙ガイド面５４のＹ方向のいずれか一方の端部に近い位置に形成されている。本実施形態では、Ｙ（＋）方向の端部に近い位置に形成されている。この位置は記録用紙１１が紙ガイド面５４上を通過するとき、記録用紙１１のＹ（＋）方向の端部が通過する位置に近い位置である。リング６０は、例えば軸支されておりＸ方向に搬送される記録用紙１１の搬送方向の負荷を軽減するように回転する。リング６０の外周部分の高さは、固定刃４３の刃部４３ａの位置より高く設定されていることが好ましいが、これに限定されない。
【００６１】
以下、本第２実施形態の効果を記載する。
（１）第２実施形態の紙排出装置５０において、突起部５５としてのリング６０が配設されている。リング６０は、自在に回転できるため、突起部５５としての機能を果たしつつ、記録用紙１１の搬送負荷や搬送負荷の片寄りをさらに低減することができ、安定した記録用紙１１の搬送を実現できる。
【００６２】
以上、本発明の実施形態について説明したが、上記実施形態に対しては、本発明の趣旨から逸脱しない範囲で様々な変形を加えることができる。例えば上記実施形態以外の変形例は、以下の通りである。
【００６３】
上述の実施形態では、プリンター２０として、サーマルプリンターを例にとって説明しているがこれに限定されない。プリンター２０として、インクジェット方式であってもよいし、ドットインパクト方式であってもよい。上述の実施形態では、突起部５５として紙搬送方向に延びた船底形状や紙搬送方向に回転自在のリング６０の場合について説明しているがこれに限定されない。例えば半球形状等円弧で構成され、紙搬送方向において摺動抵抗が軽減される形状であればよい。
【符号の説明】
【００６４】
１０…プリンターシステム、１１…記録用紙、１１ａ…ロール紙、１１ｃ…単票、１２…給紙装置、２０…プリンター、２２…外装ケース、２４…前部ケース、２８…紙出口、３０…プリンター機構部、３２…紙送り機構、３３…用紙搬送経路、３４…プラテンローラー、３５…サーマルヘッド、４０…オートカッター、４３…固定刃、５０…紙排出装置、５２，５２Ａ…紙ステージ、５４…紙ガイド面、５５…突起部、６０…リング。
【図１】
0005796345.tif 000002
【図２】
0005796345.tif 000003
【図３】
0005796345.tif 000004
【図４】
0005796345.tif 000005
【図５】
0005796345.tif 000006
【図６】
0005796345.tif 000007